(57)【要約】      （修正有）【課題】同時に複数の周波数の帯域の電磁波および磁場ならびに音波を使用した、神経疾患、悪性腫瘍、成人病に対する十分な性能を持ち安全性にも優れ、操作性にも優れた治療機器を提供する。【解決手段】高周波電磁波発生装置、パルス磁場発生装置、超伝導磁場発生装置、定常磁場発生装置、音波発生装置、マルチチャネルアナライザー、共鳴周波数測定装置、３次元生体計測装置、刺激強度制御装置を使用する。刺激時間、周波数、刺激強度をプログラムによって自動的に刺激をすることができる。さらに、刺激部位はＣＴスキャンのように３６０度方向から刺激が可能である。また重粒子線のように局所を集中的に刺激することも可能である。【選択図】図１
2017070688.tif 000002
【特許請求の範囲】
【請求項１】
神経疾患、悪性腫瘍、成人病治療に対して効率よく治療できるマルチチャネルな電磁波、磁場、音波を暴露することで簡単な操作で安全に治療できる治療機器システム
【請求項２】
神経疾患、悪性腫瘍、成人病治療に対して効率よく治療できるマルチチャネルな電界および磁場、音波を暴露することで、簡単な操作で、安全に治療できる統合治療機器システムＦＭＭＳ００７
【請求項３】
電界及び磁場刺激が、刺激強度；０．０１〜１．５Ｔ、好ましくは０．４〜０．６Ｔ、周波数；５Ｈｚ〜３５Ｈｚ、電流密度；２０〜２００ｍＡ／ｍ２、刺激波形は正弦波またはパルス波、パルス幅；２００〜３００μ秒、かつ２００パルスを５分〜１０分間隔で３〜１０ターム（合計６００〜２０００パルス）を供給してなることを特徴とする請求項１記載のマルチチャネルな電磁波治療機器システム。
【請求項４】
電界及び磁場刺激が、刺激強度；０．０１〜１．５Ｔ、好ましくは０．４〜０．６Ｔ、周波数；５Ｈｚ〜３５Ｈｚ、電流密度；２０〜２００ｍＡ／ｍ２、刺激波形は正弦波またはパルス波、パルス幅；２００〜３００μ秒、かつ２００パルスを５分〜１０分間隔で３〜１０ターム（合計６００〜２０００パルス）を供給してなることを特徴とする請求項２記載のマルチチャネルな電磁波治療機器システム。
【請求項５】
音波が周波数；１００Ｈｚ〜２０００Ｈｚ、刺激波形は正弦波またはパルス波を１分〜１０分間隔で３〜３０タームを供給してなることを特徴とする請求項２記載のマルチチャネルな音波治療機器システム。
【請求項６】
刺激強度；０．０１〜１．５Ｔ、好ましくは０．４〜０．６Ｔ、周波数；５Ｈｚ〜３５Ｈｚ、周波数；１００〜１６００Ｈｚ、周波数；３８ＫＨｚ〜４８ＫＨｚ、電流密度；１０〜２００ｍＡ／ｍ２、刺激波形は正弦波またはパルス波、パルス幅；２００〜３００μ秒、かつ２００パルスを５分〜１０分間隔で３〜４５ターム（合計６００〜９０００パルス）を供給してなる電界及び磁場生成または電界を発生する装置を特徴とする請求項２記載のマルチチャネルな電磁波治療機器システム。
【請求項７】
請求項１に記載のマルチチャネルな電磁波を暴露する装置およびシステム
【請求項８】
請求項２に記載のマルチチャネルな電界および磁場を暴露する装置
【請求項９】
請求項２に記載のマルチチャネルな電磁波を暴露するシステム
【請求項１０】
請求項３に記載のマルチチャネルな電界および磁場を暴露する装置
【請求項１１】
請求項３に記載のマルチチャネルな電磁波を暴露するシステム
【請求項１２】
請求項４に記載のマルチチャネルな電界および磁場を暴露する装置
【請求項１３】
請求項４に記載のマルチチャネルな電磁波を暴露するシステム
【請求項１４】
請求項２に記載のマルチチャネルな音波を暴露する装置
【請求項１５】
請求項２に記載のマルチチャネルな音波を暴露するシステム
【発明の詳細な説明】
【技術分野】
【０００１】  本発明は、電磁波、音波、磁場を使用した治療機器に関するものである。
【背景技術】
【０００２】  電磁波は、周波数によって様々な影響や効果が言われている。特に近年では鬱病の治療、パーキンソン病の治療、脳梗塞、悪性腫瘍の治療など様々な分野で広く活用されている。また音響を使用した治療も神経系疾患や成人病疾患への応用が治験レベルで試行されている。しかし、治療機器としてはまだ開発途上段階にあり、個別の疾患に対して治療を施す場合でも、その操作は複雑である。【０００３】  一般に電磁波には携帯電話で使用する周波数からレーダーに使用する周波数、ＭＲＩなどの医療で使用する周波数など様々な周波数がある。音響療法には可聴領域の周波数を使用した治療がある。【０００４】  最近では空港の手荷物検査にも電磁波で計測する機器が開発されている。医療においては肺がん治療になどにも電磁波が使用されはじめ、電磁波を利用した治療も提案がされている。【０００５】  携帯の周波数帯域での電磁波については電磁波の悪影響を懸念する学者の見解もあるが、使用する周波数帯域によっては世界的にも治療効果が認められている。
【先行技術文献】
【特許文献】
【０００６】
【特許文献１】特開平２０１０−０８２４００号公報
【発明の概要】
【発明が解決しようとする課題】
【０００７】  同時に複数の周波数の帯域の電磁波および磁場ならびに音波を使用した、神経疾患、悪性腫瘍、成人病に対する十分な性能を持ち安全性にも優れ、操作性にも優れた治療機器は無かった。
【課題を解決するための手段】
【０００８】  本発明は、神経疾患、悪性腫瘍、成人病治療に対して効率よく治療できるマルチチャネルな電磁波、磁場、音波を暴露することで、簡単な操作で、安全に治療できる治療機器システムとして提供することが特徴である。ＭＲＩやＣＴは検査機器であるがＦＥＭＦＳ００１は正常細胞にはダメージを与えることなく神経回路や損傷細胞、腫瘍細胞を正常に修復し治療ができるというのが特徴である。
【発明の効果】
【０００９】  本発明は生体の臓器や細胞によって共鳴する特異的な周波数を暴露することができるシステムを備えた装置である。従来の重粒子線治療や放射線治療では正常細胞にもダメージを与えてしまうことが課題であったが、また通常の超音波治療機器、電位治療機器は生体の深部を治療するにはオペを伴うことが課題であった。
しかしＦＥＭＦＳ００７は非侵襲的に生体に暴露することが可能であり、細胞レベル、遺伝子レベル、分子レベルで治療を可能とするシステムである。
【図面の簡単な説明】
【００１０】
【図１】図１は未来型生理活性制御システムＦＥＭＦＳ００７の説明図である。
【発明を実施するための形態】
【００１１】  以下に本発明の実施形態については、高周波電磁波発生装置、パルス磁場発生装置、超伝導磁場発生装置、定常磁場発生装置、音波発生装置、マルチチャネルアナライザー、共鳴周波数測定装置、３次元生体計測装置、刺激強度制御装置を使用する。
本発明は以下の実施形態に何ら限定されるものではなく、本発明の目的範囲において適宜変更を加えて実施することができる。
【実施例】
【００１２】  以下、実施例により本発明をより具体的に説明するが、本発明はこれらの実施例により限定されるものではない。【００１３】実施例
以下、添付図面を参照して本発明の実施例を詳述する。電界及び磁場生成コイルは、内径：１０ｍｍ〜５０ｍｍ、外形：６０ｍｍ〜２５０ｍｍ、厚さ：１０ｍｍ〜２０ｍｍの鉄製中空円形体からなり、コードで電源に接続される。
コイルは、ラットの脳の上１１ｃｍに載置する。コイルは、コイルの中心で間隔２３８μｓのｂｉｐｈａｓｉｃパルスと最大１．２５Ｔ（最大渦電流＝５．５Ａ／ｍ２）を生じる。コイルは日本光電製ＳＭＮ−１２００を使用した。【００１４】  電界及び又は磁場生成コイルは、内径：１０ｍｍ〜５０ｍｍ、外形：６０ｍｍ〜２５０ｍｍ、厚さ：１０ｍｍ〜２０ｍｍの鉄製中空円形体からなり、コードで電源に接続される。
コイルは、コイルの中心で間隔２３８μｓのｂｉｐｈａｓｉｃパルスと最大１．２５Ｔ（最大渦電流＝５．５Ａ／ｍ２）を生じる。コイルは日本光電製ＳＭＮ−１２００を使用した。コイル上には、アクリル板を介して細胞培養皿が載置される。
細胞培養皿は、コイル１０から１１ｍｍの距離に置かれた。【００１５】細胞は、刺激強度；０．０１〜１．５Ｔ、好ましくは０．４〜０．６Ｔ、周波数；７Ｈｚから３５Ｈｚ、電流密度；２０〜２００ｍＡ／ｍ２、刺激波形は正弦波またはパルス波、パルス幅；２００〜３００μ秒、かつ２００パルスを５分〜１０分間隔で３〜１０ターム（合計６００〜２０００パルス）で曝露した。【００１６】その後細胞固定を行い、細胞内のＪＮＫ／ＳＡＰＫリン酸化反応を同定する抗体と蛍光色素を用いて蛍光免疫染色を行った。さらに、サンプルをＮｉｋｏｎ共焦点レーザー顕微鏡で観察し、画像解析した。ＨＥＫ２９３細胞に曝露を施行したところ、７Ｈｚから３５Ｈｚにおいて細胞内のＪＮＫ／ＳＡＰＫリン酸化反応とＭＡＰＫリン酸化反応が促進されていた。本実施例では、ＨＥＫ２９３細胞にｒＴＭＳを与えることにリン酸化反応が促進もしくは抑制される効果を調査解析した。【００１７】細胞は、刺激強度；０．０１〜１．５Ｔ、好ましくは０．４〜０．６Ｔ、周波数；３８ＫＨｚから４５ＫＨｚ、電流密度；１０〜２００ｍＡ／ｍ２、刺激波形は正弦波またはパルス波、パルス幅；２００〜３００μ秒、かつ２００パルスを５分〜１０分間隔で３〜１０ターム（合計６００〜２０００パルス）で曝露した。
遺伝子の発現について遺伝子解析チップを使用して解析した。【００１８】脳及び脊髄、生体に電界及び磁場刺激または電界刺激、音波刺激を与えて細胞のリン酸化反応または遺伝子発現を促進もしくは抑制することで中枢神経系損傷疾患及び悪性腫瘍を正常細胞へと修復することができる。
この刺激装置を簡易的にオペレーションできる装置を提供する。
この装置は刺激時間、周波数、刺激強度をプログラムによって自動的に刺激をすることができる。さらに、刺激部位はＣＴスキャンのように３６０度方向から刺激が可能である。また重粒子線のように局所を集中的に刺激することも可能である。【００１９】  脊髄損傷、パーキソン病患者の下肢及び又は腕の運動誘発電位を測定して中枢神経系損傷疾患及び傷害を回復又は神経の再生を評価することができる。
悪性腫瘍、成人病の回復については血液検査、遺伝子検査で評価できる。【００２０】  パーキンソン病、脊髄損傷、など中枢神経系損傷疾患において回復又は神経を再生させる。また悪性腫瘍においては細胞を正常化することで治療することができる。成人病やアレルギー疾患においてサイトカインの生成を制御し、炎症反応を抑制する因子を発現させることで炎症を抑制する。【００２１】  本発明の実施例から刺激強度、刺激周波数、刺激時間、刺激の組み合わせが重要であることが示された。本発明機器によって簡単な操作で非侵襲的に神経系疾患、悪性腫瘍、成人病を治療することができる。
【図１】
2017070688.tif 000003